(57)【要約】【課題】吸口ケースの両端部下面に動圧制御弁を設けることで吸口ケースの側方からの塵埃の吸込性を向上させた電気掃除機の吸込具およびこの吸込具を用いた電気掃除機を提供する。【解決手段】第１回転清掃体２０および第２回転清掃体３０が配置される吸込室と、吸込室の上方に配置されて電動機および回路基板を収容する収容室とに区画する隔壁を有する吸口ケースと吸口ケースの両端部下面に配置されて前記第１回転清掃体および前記第２回転清掃体を着脱自在に保持する軸受押え部材と、を備え、軸受押え部材は、吸込具の長手方向に略平行に溝を備え、前記清掃面と前記溝により吸込具側方から中央部へ空気の流れる吸込流路を構成し、前記吸込流路に略平行に、少なくとも１つ動圧制御弁を備える。【選択図】図３
2015204933.tif 000002
【特許請求の範囲】
【請求項１】
清掃面と平行な回転軸を有する第１回転清掃体と、前記第１回転清掃体の上方に配置され、前記回転軸と平行な出力軸を有し、前記第１回転清掃体を回転駆動する電動機と、前記電動機を制御する制御基板と、前記第１回転清掃体が配置される吸込室と、前記吸込室の上方に配置されて前記電動機および前記制御基板を収容する収容室とに区画する隔壁を有する吸口ケースと、前記吸口ケースの両端部下面に配置されて前記第１回転清掃体を保持する軸受押え部材とを備え、前記軸受押え部材に吸込具の長手方向に略平行に設けた溝と前記清掃面により吸込具側方から中央部へ空気の流れる吸込流路を構成し、前記吸込流路に略平行に、少なくとも１つ配設した動圧制御弁を備えたことを特徴とする電気掃除機の吸込具。
【請求項２】
前記動圧制御弁は、一端が前記清掃面と接触することを特徴とする請求項１に記載の電気掃除機の吸込具。
【請求項３】
前記動圧制御弁は、前記吸込具の操作により可動することを特徴とする請求項２に記載の電気掃除機の吸込具。
【請求項４】
前記動圧制御弁は、少なくとも一端に突起を有することを特徴とする請求項１または請求項２に記載の電気掃除機の吸込具。
【請求項５】
前記動圧制御弁は、吸込具の幅方向よりも突出していることを特徴とする請求項１乃至４の何れか１項に記載の電気掃除機の吸込具。
【請求項６】
前記動圧制御弁は、前記溝の前面に沿うように設けられていることを特徴とする請求項３乃至５の何れか１項に記載の電気掃除機の吸込具。
【請求項７】
前記動圧制御弁は、前記溝の後面に沿うように設けられていることを特徴とする請求項３乃至５の何れか１項に記載の電気掃除機の吸込具。
【請求項８】
前記動圧制御弁は、前記溝の中央に設けられ、前記溝の前面に沿うよう屈曲した形状で構成されていることを特徴とする請求項３乃至５の何れか１項に記載の電気掃除機の吸込具。
【請求項９】
前記動圧制御弁は、前記溝の中央に設けられ、前記溝の後面に沿うよう屈曲した形状で構成されていることを特徴とする請求項３乃至５の何れか１項に記載の電気掃除機の吸込具。
【請求項１０】
前記動圧制御弁は、ゴムやエラストマーなどの弾性材料で形成されていることを特徴とする請求項１乃至７の何れか１項に記載の電気掃除機の吸込具。
【請求項１１】
前記動圧制御弁は、前記吸込室より側方外側に設けられていることを特徴とする請求項１乃至１０の何れか１項に記載の電気掃除機の吸込具。
【請求項１２】
前記動圧制御弁は、前記吸込具に着脱自在に設けられた軸受押え部材に設けられていることを特徴とする請求項１乃至１１の何れか１項に記載の電気掃除機の吸込具。
【請求項１３】
吸引力を発生する電動送風機、および塵埃を集塵する集塵部を有する掃除機本体と、前記掃除機本体と接続される吸込具を備える電気掃除機において、前記吸込具は、請求項１乃至１２の何れか１項に記載の電気掃除機の吸込具であることを特徴とする電気掃除機。
【発明の詳細な説明】
【技術分野】
【０００１】
本発明は電気掃除機の吸込具に関するもの、及びこの吸込具を用いた電気掃除機に関する。
【背景技術】
【０００２】
これまでに、側方からの塵埃吸込性能を向上させるために吸込口側方底面に複数のスリットを設けた電気掃除機の吸込具が提案されている（例えば、特許文献１参照）。
【先行技術文献】
【特許文献】
【０００３】
【特許文献１】特開２００２−１６５７３４号公報
【発明の概要】
【発明が解決しようとする課題】
【０００４】
しかしながら、特許文献１に記載の電気掃除機の吸込具では、吸込具端部に吸引口(スリット)を設けることで吸込具側方から空気を取り込み壁際の吸込性能を高めているが、吸引口（スリット）を複数設けることで吸込具の前後幅が大きくなる恐れがある。
【０００５】
また、前後幅を小さくした吸込具では、塵埃の搬送流路が十分に確保されず吸込具端部では風速が遅くなり、側方吸込力が弱いという課題があった。
【０００６】
本発明は、吸口ケースの両端部下面に動圧制御弁を設けることで吸口の前後幅を大きくすることなく吸口ケースの側方からの塵埃の吸込性能を向上させた電気掃除機の吸込具およびこの吸込具を用いた電気掃除機を提供することを目的とする。
【課題を解決するための手段】
【０００７】
電気掃除機の吸込具において、前記吸込具は、清掃面と平行な回転軸を有する第１回転清掃体と、前記第１回転清掃体の上方に配置され、前記回転軸と平行な出力軸を有し、前記第１回転清掃体を回転駆動する電動機と、前記電動機を制御する制御基板と、前記第１回転清掃体が配置される吸込室と、前記吸込室の上方に配置されて前記電動機および前記制御基板を収容する収容室とに区画する隔壁を有する吸口ケースと、前記吸口ケースの両端部下面に配置されて前記第１回転清掃体を着脱自在に保持する軸受押え部材とを備え、前記軸受押え部材に吸込具の長手方向に略平行に設けた溝と前記清掃面により吸込具側方から中央部へ空気の流れる吸込流路を構成し、前記吸込流路に略平行に、少なくとも１つの動圧制御弁を備えたことを特徴とする。
【発明の効果】
【０００８】
本発明によれば、吸口ケースの側方からの吸込性を向上させた電気掃除機の吸込具およびこの吸込具を用いた電気掃除機を提供できる。
【図面の簡単な説明】
【０００９】
【図１】本発明の第１実施形態に係る電気掃除機の全体を示す外観斜視図である。
【図２】吸込具の上面図である。
【図３】吸込具の下面図である。
【図４】吸込具の上ケースを外した状態を示す上面図である。
【図５】吸込具の内部の配線図である。
【図６】図２のＡ−Ａ線断面図である。
【図７】動圧制御弁を備えた軸受押え部材を示し、(a)は背面図、(b)は側面図、(c)は下面図である。
【図８】図２のＢ−Ｂ線断面図である。
【図９】吸込具を後進させたときの塵埃の流れを模式的に示す側面図である。
【図１０】吸込具を前進させたときの塵埃の流れを模式的に示す側面図である。
【図１１】吸込具を後進させたときの塵埃の流れを模式的に示す下面図である。
【図１２】吸込具による別の効果を模式的に示す下面図である。
【図１３】吸込具による別の効果を模式的に示す側面図である。
【図１４】吸込具の内部の冷却風の流れを示す模式図である。
【図１５】本発明の第２実施形態に係る電気掃除機の吸込具を示す側面図である。
【図１６】本発明の第３実施形態に係る電気掃除機の吸込具を示す側面図である。
【図１７】本発明の第４実施形態に係る電気掃除機の吸込具を示す背面図である。
【図１８】本発明の第５実施形態に係る電気掃除機の吸込具を示す背面図である。
【図１９】本発明の第６実施形態に係る電気掃除機の吸込具を示す側面図である。
【図２０】本発明の第７実施形態に係る電気掃除機の吸込具を示す側面図である。
【図２１】本発明の第８実施形態に係る電気掃除機の吸込具を示す側面図である。
【図２２】本発明の第９実施形態に係る電気掃除機の吸込具を示す側面図である。
【図２３】本発明の第１０実施形態に係る電気掃除機の吸込具を示す側面図である。
【図２４】本発明の第１１実施形態に係る電気掃除機の吸込具を示す背面図である。
【図２５】本発明の第１２実施形態に係る電気掃除機の吸込具の軸受押え部材のロック機構の平面図を示し、（ａ）はロック状態、（ｂ）はロック解除状態である。
【発明を実施するための形態】
【００１０】
以下、本発明に係る実施形態について適宜図面を参照して説明するが、本実施形態は以下の内容に限定されるものではなく、本発明の趣旨の範囲内において適宜変更して実施可能である。また，本文中で使用する動圧とは，空気流の単位体積あたりの運動エネルギーのことであり，流速の２乗に比例する。なお、上下方向、左右方向、前後方向については図１に示す方向とする。
（第１実施形態）
図１は、本発明の第１実施形態に係る電気掃除機１の全体を示す外観斜視図である。
【００１１】
図１に示すように、電気掃除機１は、掃除機本体２と、ホース部３と、手元操作スイッチＳＷ等が設けられた操作管４と、伸縮自在に設けられた延長管５と、吸込具６とを備えて構成されている。
【００１２】
掃除機本体２は、吸引力を発生させる電動送風機２ａ、この電動送風機２ａの吸引力で集塵した塵埃を収容する集塵部２ｂなどを備えている。なお、本実施形態では、いわゆるサイクロン式の電気掃除機１を例に挙げて説明するが、いわゆる紙パック式の電気掃除機に適用してもよい。
【００１３】
ホース部３の一端は、掃除機本体２の集塵部２ｂと連通するように掃除機本体２の接続口２ｃに接続されている。また、ホース部３の他端は、操作管４の一端に接続されている。
【００１４】
操作管４は、手元操作スイッチＳＷなどを備えたグリップ４ａ、延長管５が接続されて掃除機本体２から給電される図示しない給電端子などを備えている。この給電端子には、延長管５の一端に設けられる図示しない通電端子が接続される。
【００１５】
操作管４の手元操作スイッチＳＷを操作することなどによって、電動送風機２ａの運転の強弱切り替えや、吸込具６に設けられた第１回転清掃体２０（図３参照）の入り切り等が可能となっている。
【００１６】
延長管５は、外管５ａと内管５ｂとを備え、外管５ａの他端部に内管５ｂの一端部が挿入されて外管５ａと内管５ｂとの内側に設けられた図示しない通風路が連通するように連結されて、伸縮自在に構成されている。なお、図１は、延長管５が最短の状態を図示している。
【００１７】
吸込具６は、内管５ｂの他端、あるいは操作管４の他端に接続することができる。図１では、吸込具６を内管５ｂの他端に接続した状態を示す。
【００１８】
図２は、吸込具６の上面図である。
【００１９】
図２に示すように、吸込具６は、上面視において略Ｔ字形状を呈する吸口ケース１０と、吸口ケース１０に連結される吸口継手１３と、を備えている。
【００２０】
吸口ケース１０は、上面視において、左右方向（幅方向、後記する第１回転清掃体２０の回転軸の軸方向）に細長く形成された吸口本体１１と、吸口本体１１の長手方向の中央部に吸口継手１３と連結される連結部１２と、を備えている。連結部１２には、吸口本体１１と吸口継手１３とを連通させる流路Ｒ（図３参照）が形成されている。
【００２１】
吸口本体１１には、前端面から左右側面にかけてバンパ１１ａが設けられている。バンパ１１ａは、ゴムやエラストマー等の弾性材料から形成されており、使用時に吸口本体１１内の気密を確保するとともに、電気掃除機１（図１参照）の使用時に吸口本体１１が家具等に衝突した際に、当該家具等への傷付きと吸口本体１１への衝撃を吸収する緩衝材の役割を果たしている。
【００２２】
吸口継手１３は、連結部１２に対して回動自在に連結される第１連結部１４と、この第１連結部１４に対して回動自在に連結される第２連結部１５と、を備えている。
【００２３】
第１連結部１４は、図２の上面視において略半トラック形状を呈し、連結部１２と連結される円筒形状の軸１４ａを有している。この軸１４ａは、軸方向が吸口本体１１の長手方向であって、軸１４ａの両端部が連結部１２に形成された軸受部１２ｇ，１２ｇ（図４参照）に支持されている。また、第１連結部１４は、床面（清掃面）Ｍ（図６参照）に対して略平行な状態から略垂直な状態まで（上下方向に）回動可能となるように構成されている。すなわち、第１連結部１４を吸口ケース１０に対して軸１４ａを支点として回動させることによって、延長管５を床面Ｍ（図６参照）に略平行な状態と略垂直な状態との間において回動させることができる。
【００２４】
第２連結部１５は、第１連結部１４に対して吸口本体１１の長手方向に（図２の紙面時計回り方向および反時計回り方向に）回動可能となるように構成されている。これにより、例えば、延長管５を床面Ｍに対して略垂直にした状態から、延長管５を床面Ｍに略平行な状態に向けて倒すことができる。
【００２５】
また、第２連結部１５には、給電が行われる給電端子１５ａ，１５ａが設けられている。なお、本実施形態の電気掃除機１（図１参照）では、吸込具６に給電する電力を、掃除機本体２からホース部３、操作管４、延長管５を通じて供給するように構成されている。
【００２６】
このような吸口継手１３は、例えば延長管５（図１参照）を床面Ｍに対して略垂直とした状態において、その延長管５を左右方向（長手方向）に倒して、操作管４（グリップ４ａ）を左右方向のいずれかにねじることで、吸口本体１１を左右方向のいずれかに略９０度回転させ、吸口本体１１の左右方向を移動方向にした掃除が可能である。したがって、壁際に沿って吸込具６を移動させて掃除したり、狭い隙間に吸込具６を挿入したりして掃除することが可能になる。
【００２７】
図３は、吸込具６の下面図である。
【００２８】
図３に示すように、吸込具６は、第１回転清掃体２０、第２回転清掃体３０を備えている。吸口ケース１０（吸口本体１１）には、下面（清掃面に対峙する面）に、開口部を有する吸込室Ｑ２（図６参照）が形成されている。
【００２９】
第１回転清掃体２０は、吸口本体１１の長手方向（左右方向）に沿って前後方向の前側に配置され、吸口本体１１に回転可能に支持されている。また、第１回転清掃体２０は、吸口本体１１の長手方向（第１回転清掃体２０の軸方向）の一端側から他端側まで連続して設けられている。
【００３０】
また、第１回転清掃体２０は、硬さが異なるブラシなど複数種類のブラシ２０ａ，２０ｂ，２０ｃを備え、各ブラシ２０ａ，２０ｂ，２０ｃが回転軸２１（図６参照）に対してらせん状に配設されている。なお、本実施形態では、３種類のブラシ２０ａ，２０ｂ，２０ｃを配設した場合を例に挙げて説明したが、これに限定されるものではなく、２種類以下であってもよく、４種類以上であってもよく、らせん状に配置されたブラシ間にゴムなどの弾性材料からなるブレード部材をらせん状に配置する構成を追加してもよく、適宜変更することができる。
【００３１】
第２回転清掃体３０は、第１回転清掃体２０の直径よりも小径の刷毛体３０ｂを有し、第１回転清掃体２０に対して後方且つ平行に配置されている。また、第２回転清掃体３０は、第１回転清掃体２０の軸方向（吸口本体１１の長手方向）の一端側から他端側にかけて連続して設けられている。換言すると、第２回転清掃体３０は、１本の刷毛体３０ｂによって構成されている。
【００３２】
また、第２回転清掃体３０は、第１回転清掃体２０の回転軸２１と平行な軸部３０ａ（軸）を有し、軸部３０ａが吸口ケース１０（吸口本体１１）に回転可能に支持されている。なお、第２回転清掃体３０は、電動機によって駆動されるものではなく、吸込具６を移動させたときの床面Ｍ（図６参照）との摩擦力によって回転するように構成されたものである。このように、第２回転清掃体３０は、電動機によって駆動するものではなく、軸部３０ａを介して吸口本体１１に支持されるものであるので、第２回転清掃体３０の構成を簡略化することができる。
【００３３】
吸込具６は、吸口ケース１０の連結部１２の下面に、ブラシ駆動スイッチ１６、車輪１７、軸受押え部材３１、３２を備えている（図３参照）。
【００３４】
軸受押え部材３１は、前部３１ａと後部３１ｂと、前部３１ａと後部３１ｂとを連結する中間部３１ｃとを備え、これらが一体的に形成されている。
【００３５】
中間部３１ｃには、溝３１ｄが形成されている。中間部３１ｃの下部は前部３１ａの下部や後部３１ｂの下部よりも上方向に位置しているため、中間部３１ｃの部分に前部３１ａと後部３１ｂとにより溝３１ｄが形成されている。この溝３１ｄは、回転清掃体３０で捕集できなかった回転清掃体３０の外側の塵埃を捕集する、清掃面との間に形成される吸込流路として機能する。
【００３６】
図７は、動圧制御弁５１を備えた軸受押え部材３１を示し、(a)は背面図、(b)は側面図、(c)は下面図である。
【００３７】
図７に示すように、軸受押え部材３１には、溝３１ｄに設けられた長手方向に長いスリット３１ｅに動圧制御弁５１が係止されている。
【００３８】
また、動圧制御弁５１は軸受抑え部材３1の裏側(図示上側)から挿入し、動圧制御弁５１に設けられているフランジ５１ｓとリブ５１ｔにより係止されている。このように、接着作業を行わず係止することで、組立性を向上できる。
【００３９】
ブラシ駆動スイッチ１６は、吸込具６の下面が床面Ｍ（清掃面）に接触しているか否かを検出するスイッチであり、車輪１６ａとともに構成されている。この車輪１６ａは、ばね等の付勢手段によって常に吸口ケース１０（連結部１２）の下面から一部が突出するように設けられている。そして、車輪１６ａが吸口ケース１０から飛び出して床面Ｍと接触していないと検出されたときには、後記する回路基板５０（制御基板）の制御によって電動機４０の駆動が停止され、第１回転清掃体２０の回転が停止する。また、車輪１６ａが押し込まれて床面Ｍと接触していると検出されたときには、回路基板５０の制御によって電動機４０が駆動され、第１回転清掃体２０が回転する。
【００４０】
車輪１７は、操作管４で操作される前後動や回転操作の応力を受けて吸込具６の底面を床面（清掃面）に密着させ、これにより吸込具６の操作性能を向上する役割を有している。
【００４１】
また、車輪１７は、第２回転清掃体３０の軸部３０ａ（図６参照）と平行な軸１７ａを有し、この軸１７ａが吸口ケース１０（連結部１２）に回動自在に支持されている。また、車輪１７は、軸方向の中央に左右両端よりも小径の小径部１７ｂを有している。なお、小径部１７ｂによって形成される凹みは、車輪１７が床面Ｍに接触したときに、例えば、米粒などの粒形の大きな固形塵埃が通過できる大きさ以上の隙間に設定される。
【００４２】
軸受押え部材３１は、第１回転清掃体２０の回転軸２１（図６参照）および第２回転清掃体３０の軸部３０ａ（図６参照）の一端を支持するものであり、吸口ケース１０にねじ３１ｆを介して固定されている。
【００４３】
軸受押え部材３２は、第１回転清掃体２０の回転軸２１（図６参照）および第２回転清掃体３０の軸部３０ａ（図６参照）の他端を支持するものである。
【００４４】
図４は、吸込具６の上ケース１１Ｂを外した状態を示す上面図である。
【００４５】
図４に示すように、吸込具６は、第１回転清掃体２０（図３参照）および第２回転清掃体３０（図３参照）の上方に、第１回転清掃体２０を駆動する電動機４０および電動機４０を制御する回路基板５０を備えている。
【００４６】
電動機４０は、吸口本体１１（下ケース１１Ａ）の長手方向の一端側に取り付けられている。また、電動機４０は、その出力軸４０ａ（図６参照）が吸口本体１１の長手方向と平行に配置されている。また、電動機４０の出力軸４０ａ（図６参照）は、長手方向の一端側に向けて延び、吸口本体１１内の一端部（図示右側の端部）において、歯付きベルト４１ｐを介して第１回転清掃体２０の回転軸２１（図６参照）と連結されている。
【００４７】
また、電動機４０は、ステータ４１の一端に、フロントキャップ４２が固定され、ステータ４１の他端に、図示しないリアキャップを介してカバー部材４３が取り付けられている。
【００４８】
ステータ４１には、フロントキャップ４２側の外周面に、冷却用の空気をステータ４１内に導入するための開口４１ｃが形成されている。また、ステータ４１のカバー部材４３側には、冷却用の空気をステータ４１内から排出するための開口４１ｄが形成されている。なお、開口４１ｃ，４１ｄの個数や位置は、電動機４０を冷却できるものであれば本実施形態に限定されるものではなく適宜変更できる。
【００４９】
カバー部材４３は、ステータ４１の図示しないリアキャップの端部に被せられる部材であり、合成ゴム等の弾力性を有する絶縁部材で形成され、リアキャップに設けられた電気部品を覆っている。本実施形態では、このカバー部材４３の弾力性を利用して収容室Ｑ１に電動機４０の一端側が支持されているので、電動機４０の振動が吸口ケース１０（図２参照）に伝わり難い構造となっている。
【００５０】
なお、フロントキャップ４２には、図示しない合成ゴム等の弾力性を有するブッシュが装着され、このブッシュを介して、電動機４０が吸口ケース１０（図２参照）の下ケース１１Ａと上ケース１１Ｂ（図６参照）との間に支持されるようになっている。したがって、電動機４０は、フロントキャップ４２側においても防振構造が採用されている。
【００５１】
回路基板５０は、吸口本体１１の長手方向の他端側に取り付けられている。また、回路基板５０は、長辺が長手方向に沿って配置された長方形状の基板を有し、実装面５０ａが鉛直方向上向きの状態で吸口本体１１内に配置されている。なお、実装面５０ａは、必ずしも鉛直方向上向きに限定されず、水平方向に対して傾斜してもよく、前後方向を向くように（縦向きに）してもよい。
【００５２】
連結部１２は、軸受部１２ｇを含む領域に、電動機４０が収容される空間（収容室Ｑ１）と連通する空間Ｑ３を有している。この空間Ｑ３は、軸１４ａの筒状空間と連通し、第１連結部１４の内部の流路Ｒ（図３参照）と連通している。また、流路Ｒ（図３参照）と空間Ｑ３とを区画する壁部１２ａには、流路Ｒ（図３参照）と空間Ｑ３とを連通させる連通孔１２ａ１が形成されている。
【００５３】
吸口本体１１の一端側には、軸受ユニット部４１ｕが設けられている。この軸受ユニット部４１ｕには、電動機４０からの駆動力を第１回転清掃体２０（図３参照）に伝達するプーリ４１ｇや歯付きベルト４１ｐなどからなる動力伝達機構が設けられている。
【００５４】
図５は、吸込具６の内部の配線図である。
【００５５】
図５に示すように、回路基板５０は、リード線６０ａ，６０ａを介して電動機４０と接続され、給電端子１５ａ（図４参照）とリード線６０ｂ，６０ｂを介して接続され、リード線６０ｃ，６０ｃを介してブラシ駆動スイッチ１６（図３参照）と接続されている。
【００５６】
吸口ケース１０は、電動機４０と回路基板５０とが収容される収容室Ｑ１（図６参照）と、第１回転清掃体２０および第２回転清掃体３０が収容される吸込室Ｑ２（図６参照）とを区画する隔壁１１ｃに、収容室Ｑ１と吸込室Ｑ２とを連通させる連通部１８，１９が形成されている。
【００５７】
連通部１８は、複数の小孔１８ａで構成され、吸口本体１１の電動機４０と回路基板５０との間に位置して、吸込室Ｑ２（図６参照）と連通している。
【００５８】
連通部１９は、複数の小孔１９ａで構成され、連結部１２に位置して、流路Ｒ（図３参照）と連通している。なお、小孔１９ａは、吸口本体１１の長手方向の中心よりも回路基板５０側に偏って形成されている。
【００５９】
吸込具６は、吸口本体１１の長手方向（左右方向）の中央部に発光手段７０を備えている。この発光手段７０は、長手方向に細長く延びる導光板７１と、導光板７１を支持する脚部７２ａ，７２ｂと、ＬＥＤ素子７３と、を含んで構成されている。
【００６０】
導光板７１は、例えば、アクリル樹脂などの透明または半透明の板状部材で構成され、脚部７２ａ，７２ｂを介して回路基板５０よりも鉛直方向上方において水平となるように配置されている。脚部７２ａは、回路基板５０上の角部（内側後方の角部）に配置され、脚部７２ｂは、隔壁１１ｃ上に配置されている。
【００６１】
ＬＥＤ素子７３は、回路基板５０の角部の脚部７２ａの位置に実装されている。なお、回路基板５０には、ＬＥＤ素子７３を発光させる駆動回路も設けられている。このように、ＬＥＤ素子７３の駆動回路を回路基板５０に組み込むことにより、部品点数（基板数）を削減することができる。
【００６２】
ＬＥＤ素子７３が発光することにより、導光板７１の端部から中央部の露出部７１ａに光が伝達される。露出部７１ａは、吸口本体１１に形成された開口１１ｂ（図２参照）から外部に露出する部分である。このように、ＬＥＤ素子７３を、露出部７１ａに最も近い側の回路基板５０に配置することにより、導光板７１の長さを最小にすることができる。
【００６３】
なお、ＬＥＤ素子７３としては、単色に発光する素子に限定されず、多色に発光する素子を用いて、電気掃除機１の運転モードに応じて発光する色を切り替えるようにしてもよい。
【００６４】
図６は、図２のＡ−Ａ線断面図である。
【００６５】
図６に示すように、吸口ケース１０の吸口本体１１は、第１回転清掃体２０を覆うように下部分を形成する下ケース１１Ａ、および下ケース１１Ａの上部に被着された上ケース１１Ｂを備えている。これら下ケース１１Ａ、上ケース１１Ｂを含む吸口ケース１０および前記した吸口継手１３の主たる部品は、軽量で硬質の材料、例えば、ＡＢＳ樹脂等の合成樹脂材料で形成され、剛性が高められている。
【００６６】
下ケース１１Ａは、第１回転清掃体２０および第２回転清掃体３０が配置される吸込室Ｑ２と、電動機４０が収容される収容室Ｑ１とを区画する隔壁１１ｃを有している。この隔壁１１ｃは、第１回転清掃体２０の表面に沿って形成される隔壁湾曲部１１ｄと、第２回転清掃体３０の表面に沿って形成される隔壁湾曲部１１ｅとを有し、隔壁湾曲部１１ｄと隔壁湾曲部１１ｅとが連続して形成されている。つまり、隔壁湾曲部１１ｄと隔壁湾曲部１１ｅとの境界において、第１回転清掃体２０と第２回転清掃体３０との間を区画する鉛直方向に延びる壁が形成されていないことを意味している。また、隔壁湾曲部１１ｄは、断面視において、第１回転清掃体２０の略前端部まで延びている。隔壁湾曲部１１ｅは、断面視において、第２回転清掃体３０の後端部よりも後方且つ先端が軸部３０ａと略一致する高さまで下降するように延びている。
【００６７】
上ケース１１Ｂは、連結部１２と一体に形成されて電動機４０および回路基板５０（図４参照）の上部を覆う本体部１１ｆと、この本体部１１ｆの外側に重ねて配置されるカバー部１１ｇと、を有している。カバー部１１ｇは、上ケース１１Ｂの前部および左右両端部に渡って配置されている（図２参照）。また、カバー部１１ｇの前面側には、電動機４０が収容される収容室Ｑ１と吸込具６の外部とを連通させる連通孔１１ｇ１が形成されている。なお、本実施形態では、バンパ１１ａが、下ケース１１Ａと上ケース１１Ｂ（カバー部１１ｇ）とで挟み込まれることで保持されている。
【００６８】
なお、本実施形態では、吸口ケース１０を正面視したときに（前方から見たときに）、連通孔１１ｇ１を視認できる位置に形成されている場合を例に挙げて説明したが、このような構成に限定されるものではない。例えば、連通孔１１ｇ１をバンパ１１ａの上端部１１ａ１よりも上下方向の下側に形成し且つ連通孔１１ｇ１をバンパ１１ａで閉塞しないようにして、吸口ケース１０を正面視したときに（前方から見たときに）、連通孔１１ｇ１を視認できない位置に形成する構成にしてもよい。
【００６９】
第１回転清掃体２０は、回転軸２１にブラシ２０ａ，２０ｂ，２０ｃを保持するコア部材２２が外嵌されている。コア部材２２は、ブラシ２０ａを保持する断面視略Ｃ字状の保持部２２ａ、保持部２２ａの両側に隣接してブラシ２０ｂを保持する同断面形状の保持部２２ｂ，２２ｂ、保持部２２ｂに隣接してブラシ２０ｃを保持する同断面形状の保持部２２ｃを有し、回転軸２１の軸方向に対して保持部２２ａ，２２ｂ，２２ｃがらせん状に配置されている。このように、ブラシ２０ａ，２０ｂ，２０ｃをらせん状に配置することにより、第１回転清掃体２０が回転したときに、床面Ｍにブラシ２０ａ，２０ｂ，２０ｃを連続して当てることができ、第１回転清掃体２０の動作時の振動を抑制することができる。
【００７０】
第２回転清掃体３０は、軸部３０ａの周囲にパイプ体３０ｅが固定され、このパイプ体３０ｅの外周面に刷毛体（起毛布）３０ｂが植設されている。この刷毛体３０ｂの先端は、隔壁湾曲部１１ｅの表面全体に接する様な刷毛高さを有するものに限定されず、必ずしも隔壁湾曲部１１ｅの表面全体に接するものである必要はない。
【００７１】
例えば、図６に示すように、隔壁湾曲部１１ｅの内側（刷毛体３０ｂに対向する面）に、断面形状が略三角形状の突起３５ａを設けるようにしてもよい。この突起３５ａは、軸部３０ａに沿って刷毛体３０ｂに対応する位置に直線状に延びて形成されている。この場合、軸部３０ａに向けて延びる突起３５ａの起立面３５ａ１と刷毛体３０ｂの先端が接触する様に刷毛高さを設定することにより、回転方向Ｗ２には第２回転清掃体３０が摩擦抵抗が小さくほぼ自由に回転するが、回転方向Ｗ２と逆方向には摩擦抵抗が大きくほぼロック状態となる。なお、本実施形態では、突起３５ａを１ヶ所に設けた場合を例に挙げて説明したが、これに限定されるものではなく、突起３５ａを第２回転清掃体３０の回転方向に間隔を置いて２つ以上の複数個所に設ける構成であってもよい。また、突起３５ａの断面形状は、三角形に限定されるものではなく、第２回転清掃体３０の回転方向Ｗ２と逆方向への回転を規制することができるものであれば、軸部３０ａに向けて延びる板状の突起であってもよい。
【００７２】
さらに詳しく説明すると、第２回転清掃体３０の回転駆動力は、刷毛体３０ｂと床面Ｍとの摩擦力であり、第２回転清掃体３０の回転制動力は、刷毛体３０ｂと突起３５ａとの摩擦力である。刷毛体３０ｂを構成する微細繊維は、パイプ体３０ｅに対し円周方向に傾斜しており、その傾斜の方向は、刷毛体３０ｂが床面に接する位置にて、吸込具６の前方から後方向きである。このため、吸込具６を前進させる時は、刷毛体３０ｂと床面Ｍとの摩擦力すなわち第２回転清掃体３０の回転駆動力は小さくなり、刷毛体３０ｂと突起３５ａとの摩擦力すなわち第２回転清掃体３０の回転制動力は大きくなり、第２回転清掃体３０の回転は規制され、ほぼロック状態になる。逆に吸込具６を後進させる時は、刷毛体３０ｂと床面Ｍとの摩擦力すなわち第２回転清掃体３０の回転駆動力は大きくなり、刷毛体３０ｂと突起３５ａとの摩擦力すなわち第２回転清掃体３０の回転制動力は小さくなり、第２回転清掃体３０は回転する。
【００７３】
なお、本実施形態例において、吸込具６の前進時には、第２回転清掃体３０の回転がほぼロック状態になると説明したが、必ずしもロックする必要はなく、吸込具６が前進している状態で第２回転清掃体３０の回転が、フリーの時と比較して遅くなれば、第１回転清掃体２０によって吸込室Ｑ２内に掻き込まれた塵埃が吸口本体１１の後方に掃き出されるのを防止することができる。
【００７４】
また、本実施形態では、パイプ体３０ｅの全周方向に刷毛体３０ｂを均等に配置した場合を例に挙げて説明したが、これに限定されるものではなく、第１回転清掃体２０と同様に、刷毛体３０ｂを軸部３０ａの軸方向に対してらせん状に配置する構成であってもよい。
【００７５】
また、第１回転清掃体２０の一端と他端の色相を互いに異なるもの（例えば、一端側を緑色、他端側を青色）とし、第２回転清掃体３０の一端と他端の色相についても、第１回転清掃体２０の一端と他端の色相に対応するもの（一端側を緑色、他端側を青色）とすることが好ましい。これにより、第２回転清掃体３０を取り外して、再度組み付ける際に、刷毛体３０ｂの逆目の向きが逆になるのを防止することができる。
【００７６】
図６に示すように、電動機４０のステータ４１（ケーシング）は、横断面（出力軸４０ａに直交する断面の輪郭、輪切り断面）が略小判形状を呈している。ステータ４１は、一対の円弧部４１ａと、これらの円弧部４１ａをつなぐ一対の直線部４１ｂとを備えている。なお、電動機４０は、略小判状のものに限定されるものではなく、円形状のものであってもよい。
【００７７】
また、電動機４０は、収容室Ｑ１において、直線部４１ｂが鉛直方向の軸Ｚ１に対して傾斜した姿勢、つまり一方の円弧部４１ａが前方上向き且つ他方の円弧部４１ａが後方下向きとなるように収容されている。
【００７８】
また、電動機４０は、収容室Ｑ１において、電動機４０（ステータ４１）の前端部４１ｓ（前後方向の最前部）が、第１回転清掃体２０の後端部２０ｓ（前後方向の最後部）よりも前方に位置するように配置されている。これにより、第１回転清掃体２０の後端部２０ｓから後方に突出する電動機４０の距離を短くでき、吸口本体１１の前後幅を短くすることが可能になる。
【００７９】
また、電動機４０は、収容室Ｑ１において、電動機４０（ステータ４１）の下端部４１ｔ（鉛直方向の最下部）が、第１回転清掃体２０の上端部２０ｔ（鉛直方向の最上部）よりも鉛直方向の下方に位置するように配置されている。これにより、第１回転清掃体２０の上端部２０ｔから上方に突出する電動機４０の距離を短くでき、吸口本体１１の清掃面からの高さ（最大高さ）を低くすることができる。その結果、ソファやベッドなどの高さの低い隙間に吸口本体１１を挿入し易くできる。
【００８０】
ステータ４１の内部には、アーマチュア４４が回転自在に支持されている。また、ステータ４１の内周には、界磁用の瓦状に形成された２つのマグネット４５が周方向に間隔を隔てて固着されている。すなわち、本実施形態の電動機４０は、スロットの個数が７個、マグネット４５が２つ設けられた２極７スロットのモータである。なお、前記したスロットの数は、７個に限られることはなく他の個数（例えば８個）に設定してもよい。
【００８１】
アーマチュア４４は、出力軸４０ａを有し、この出力軸４０ａにコア部材４４ａと、コンミテータ４４ｂが固着されている。コア部材４４ａは、鉄心片を積層することで構成され、出力軸４０ａを中心にして放射状に延びる複数（例えば、本実施形態では７個）のティース４４ｃを有する。ティース４４ｃは、軸方向から見て略Ｔ字状に形成されており、これらティース４４ｃ間に軸方向に長い蟻溝状のスロット（例えば、本実施形態では７個）が形成されている。ティース４４ｃには、スロットを介して図示しないコイルが巻装されている。
【００８２】
また、吸口本体１１の上ケース１１Ｂは、円弧部４１ａの近傍および直線部４１ｂの近傍において、円弧部４１ａおよび直線部４１ｂに略沿う形状を有している。また、吸口本体１１の下ケース１１Ａは、隔壁湾曲部１１ｅの途中から略上方に延びて、上ケース１１Ｂと連結されている。
【００８３】
図８は、図２のＢ−Ｂ線断面図である。
【００８４】
図８に示すように、回路基板５０は、収容室Ｑ１において、実装面が鉛直方向（上下方向）上向きとなるように配置されている。すなわち、回路基板５０は、第１回転清掃体２０の後方ではなく、第１回転清掃体２０の上端部２０ｔ（鉛直方向の最上部）よりも上側に配置されている。なお、回路基板５０は、位置決め手段やねじ固定によって、位置ずれしないように吸口本体１１内に固定されている。また、本実施形態では、回路基板５０を水平に配置した場合を例に挙げて説明したが、回路基板５０を水平方向に対して傾斜した状態で配置する構成であってもよく、回路基板５０の実装面が前後方向を向くように、回路基板５０を起立した状態で配置してもよい。
【００８５】
図９は、吸込具６を後進させたときの塵埃の流れを模式的に示す側面図である。なお、吸込具６が床面Ｍに接触していない場合には、連結部１２に設けられた車輪１６ａが下方に突出して、ブラシ駆動スイッチ１６がオフになり、第１回転清掃体２０の動作が停止する。
【００８６】
図９に示すように、吸込具６が床面Ｍに接触すると、車輪１６ａが押し込まれ（白抜き矢印参照）、ブラシ駆動スイッチ１６がオンになり、第１回転清掃体２０がＷ１方向（図示反時計回り方向）に回転する。このとき、床面Ｍと接触する領域のブラシ２０ａ，２０ｂ，２０ｃの先端が撓むことで、ブラシ２０ａ，２０ｂ，２０ｃと床面Ｍとの接触抵抗を十分に確保することができ、床面Ｍの塵埃を効果的に掻き込むことができる。
【００８７】
同様に、第２回転清掃体３０が床面Ｍと接触することにより、床面Ｍと接触する領域の刷毛体３０ｂが撓むことで、刷毛体３０ｂと床面Ｍとの接触抵抗を十分に確保することができる。
【００８８】
この場合、吸込具６が床面Ｍに接触した状態で吸込具６を後進させると、第２回転清掃体３０は、刷毛体３０ｂと床面Ｍとの接触抵抗より刷毛体３０ｂと隔壁湾曲部１１ｅ（図６参照）との接触抵抗が小さいため、符号Ｗ３で示す回転方向に回転し、床面Ｍ上の塵埃ＤＳを吸込室Ｑ２（図６参照）内に導入することができる。導入された塵埃ＤＳは、吸込室Ｑ２（図６参照）から流路Ｒ（図３参照）を通じて吸口継手１３（図２参照）の通路に運ばれ、その後、延長管５、操作管４およびホース部３を通じて掃除機本体２の集塵部２ｂに吸引される（図１参照）。集塵部２ｂによって塵埃が取り除かれた空気は、図示しないフィルタおよび電動送風機２ａ内を通り、掃除機本体２の外部に排出される（図１参照）。
【００８９】
図１０は、吸込具６を前進させたときの塵埃の流れを模式的に示す側面図である。
【００９０】
図１０に示すように、吸込具６が床面Ｍに接触した状態で吸込具６を前進させると、第２回転清掃体３０は、刷毛体３０ｂと床面Ｍとの接触抵抗よりも刷毛体３０ｂと隔壁湾曲部１１ｅの突起３５ａとの接触抵抗が大きいため回転せず、吸込室Ｑ２内に吸引された塵埃が吸口本体１１の後方に掃き出されるのを防止することができる。特に、第１回転清掃体２０の回転によって吸込室Ｑ２内に吸引された塵埃が後方へ弾かれ、吸口本体１１の後方に飛び出ることを抑制できる。
【００９１】
吸引された塵埃は、吸込室Ｑ２（図６参照）から流路Ｒ（図３参照）を通じて吸口継手１３の通路に運ばれ、その後、延長管５、操作管４およびホース部３を通じて掃除機本体２の集塵部２ｂに吸引される（図１参照）。集塵部２ｂによって塵埃が取り除かれた空気は、図示しないフィルタおよび電動送風機２ａ内を通り、掃除機本体２の外部に排出される（図１参照）。
【００９２】
このように、第１回転清掃体２０の後方に床面Ｍと接する第２回転清掃体３０を設けたことにより、吸込具６を後進させたときに（吸込具６を後方に引いたときに）、第２回転清掃体３０が床面Ｍとの接触抵抗により回転することで、吸口本体１１の後方の塵埃ＤＳを吸込室Ｑ２内に吸い込むことができる（図９参照）。
【００９３】
また、吸込具６を前進させたときに（吸込具６を前方へ押したときに）、第２回転清掃体３０の回転が規制されるため、第１回転清掃体２０によって吸込室Ｑ２内に掻き込まれた塵埃が、吸口本体１１の後方に掃き出されるのを防止することができる（図１０参照）。
【００９４】
また、第２回転清掃体３０の回転方向を規制する手段として可動部を設ける必要がないので、構造が簡単になる。また、砂ゴミ等の侵入により、規制機能が損なわれる恐れも少なくなる。
【００９５】
図１１は、吸込具６を後進させたときの塵埃の流れを模式的に示す下面図である。
【００９６】
図１１に示すように、第２回転清掃体３０が第１回転清掃体２０の一端から他端に渡って全幅に設けられているので、吸込具６を後進させたときに（吸込具６を後方に引いたときに）、吸口本体１１の両側（軸方向の両側）の塵埃ＤＳ１，ＤＳ２を吸込室Ｑ２（図６参照）に吸い込むことができ、さらに吸口本体１１の中央の塵埃ＤＳ３を吸込室Ｑ２（図６参照）に吸い込むこともできる。このように、吸込具６を後進させたときに、吸込室Ｑ２の全幅に渡って塵埃ＤＳ１，ＤＳ２，ＤＳ３を取り込むことができる。
【００９７】
また、車輪１７に小径部１７ｂが形成されているので、吸込具６を後進させたときに、小径部１７ｂを通して塵埃ＤＳ３を前方に通過させることができ、塵埃ＤＳ３を第２回転清掃体３０によって吸込室Ｑ２（図６参照）に取り込み易くできる。
【００９８】
図１２は、吸込具６による別の効果を模式的に示す下面図である。
【００９９】
図１２に示すように、第１回転清掃体２０と第２回転清掃体３０とが前後方向に離間して配置され、第１回転清掃体２０と第２回転清掃体３０との間に、側方から中央部へ空気の流れる吸込流路Ｓが形成されるので、吸込具６の左右（側方）にある塵埃ＤＳ４を吸込流路Ｓから吸込室Ｑ２（図６参照）内に取り込むことができる。
【０１００】
なお、第１回転清掃体２０と第２回転清掃体３０との間の吸込流路Ｓは、吸口本体１１の前後幅Ｄ（図２参照）が過大とならず、かつ、吸込具６の左右側方から塵埃ＤＳ４の吸い込みを損なわない範囲において幅を適宜設定することができる。
【０１０１】
また、動圧制御弁５１により吸込具６の端部付近において前方及び後方から吸込流路Ｓへの空気の流入を低減することで流れの前後方向への拡散が抑えられ外側のより離れた位置の塵挨ＤＳ５を吸込流路Ｓから吸込室Ｑ２（図６参照）内に取り込むことができる。
【０１０２】
さらに詳しく説明すると、図１３に示すように、吸込具６を前進させた時、動圧制御弁５１と軸受押え部材３１の溝３１ｄの前面と床面Ｍにより構成される吸込流路Ｓ１から吸込具６の側方外側の塵埃ＤＳ６を取り込むこととなる。このとき、動圧制御弁５１により、吸込具６後方からの吸込流路Ｓ１への空気の流入が防止されるため、吸込流路Ｓ１内の動圧の高い領域がより側方外側へ広がり、吸込流路Ｓ１を通して側方外側から空気を吸込具６内部へ吸い込む。これにより、側方外側の塵埃を吸込具６内に取り込むことができる。
【０１０３】
同様に、吸込具６を後進させた時、動圧制御弁５１と軸受押え部材３１の溝３１ｄの後面と床面Ｍにより構成される吸込流路Ｓ２から吸込具６の側方外側の塵埃を取り込むこととなる。このとき、動圧制御弁５１により、吸込具６前方からの吸込流路Ｓ２への空気の流入を防止されるため、吸込流路Ｓ２内の動圧の高い領域がより側方外側へ広がり、吸込流路Ｓ２を通して側方外側から空気を吸込具６内部へ吸い込む。これにより、側方外側の塵埃を吸込具６内に取り込むことができる。
【０１０４】
図１４は、吸込具６の内部の冷却風の流れを示す模式図である。
【０１０５】
図１４に示すように、掃除機本体２（図１参照）の電動送風機２ａ（図１参照）を駆動させることにより、連通孔１１ｇ１（図６参照）から吸い込まれた空気Ｅ１は、連通孔１１ｇ１の奥側に起立した壁部１１ｍに当たり、壁部１１ｍに沿って一端側（図示右側）に進んだ後、電動機４０側に入り込み、電動機４０のステータ４１の開口４１ｃからステータ４１の内部を通り、ステータ４１の開口４１ｄから排出されることで電動機４０が冷却される。
【０１０６】
電動機４０を冷却した後の空気は、符号Ｅ２で示すように、連通部１８を介して吸込室Ｑ２（図６参照）に吸い込まれる。また、電動機４０を冷却した後の空気は、符号Ｅ３で示すように、空間Ｑ３と流路Ｒ（図３参照）とを連通する連通孔１２ａ１に吸い込まれる。また、電動機４０を冷却した後の空気は、符号Ｅ４で示すように、空間Ｑ３、軸１４ａの内部を通って第１連結部１４に吸い込まれる。
【０１０７】
また、掃除機本体２（図１参照）の電動送風機２ａ（図１参照）を駆動させることにより、連通孔１１ｇ２（図８参照）から吸い込まれた空気Ｅ５は、壁部１１ｍに沿って他端側（図示左側）に進んだ後、回路基板５０の側方後部側に回り込んで、回路基板５０の外側方に形成されて壁部に形成された連通孔１１ｎから回路基板５０側に入り込み、回路基板５０上を流れた後、連通部１９を介して流路Ｒ（図３参照）に吸い込まれる。
【０１０８】
このように、冷却風を収容室Ｑ１（図６、図８参照）内に取り込むことで、電動機４０および回路基板５０を冷却することができる。なお、この冷却風を流す構成は一例であって、電動機４０および回路基板５０を冷却することができる構成であれば、本実施形態に限定されるものではない。
【０１０９】
以上説明したように、第１実施形態の電気掃除機１は、第１回転清掃体２０および第２回転清掃体３０が配置される吸込室Ｑ２と、吸込室Ｑ２の上方に配置されて電動機４０および回路基板５０を収容する収容室Ｑ１とに区画する隔壁１１ｃを有する吸口ケース１０と、を備え、電動機４０の前端部４０ｓが第１回転清掃体２０の後端部２０ｓよりも前方に位置するとともに、収容室Ｑ１には回転軸２１の軸方向の一端側に電動機４０、他端側に回路基板５０が配置され、第２回転清掃体３０は、吸込室Ｑ２の一端から他端の全幅に渡って設けられている。
【０１１０】
このように、電動機４０および回路基板５０を第１回転清掃体２０よりも上部に、回転軸２１の軸方向の一端側に電動機４０、他端側に回路基板５０を配置することで、吸口ケース１０の吸口本体１１の前後幅Ｄ（図２参照）を短くすることができるので、吸口本体１１と床面Ｍとの接触面積が減少し、床面Ｍと吸込具６との摩擦が減少し、使用者の操作性（吸込具６の移動を少ない力で操作できるなど）を向上させることができる。
【０１１１】
しかも、第２回転清掃体３０が吸込室Ｑ２の一端から他端の全幅に渡って設けられているので、吸込具６を後進させたときに（後方に引いたときに）、吸口本体１１（第１回転清掃体２０）の後方の全幅に渡って床面Ｍから塵埃を吸い込むことができる。
【０１１２】
また、吸口本体１１の前後幅Ｄ（図２参照）を短くできることにより、吸口本体１１の左右方向（長手方向）を移動方向にした掃除をする際に、壁際や、家具の間などより狭い隙間に挿入して掃除することが可能になる。
【０１１３】
また、第２回転清掃体３０が吸込室Ｑ２の一端から他端に至るまで連続して形成されている。これによれば、吸込具６を前進させたときに吸込具６の前方から吸い込んだ塵埃が第２回転清掃体３０の後方に抜け出るのを防止することができる。また、作動音が吸込具６の後方から外部に洩れ出るのを抑制することができる。
【０１１４】
また、第２回転清掃体３０が第１回転清掃体２０から離間して配置されている。これによれば、第１回転清掃体２０と第２回転清掃体３０との間の吸込流路Ｓから、吸込具６の側方の塵埃を吸い込むことが可能になる（図１２参照）。
【０１１５】
また、動圧制御弁５１により吸口両端部における吸込具６前方及び後方からの空気の流入を防ぎ、動圧の高い領域をより側方外側へ広げることができる。
【０１１６】
これにより、吸込具６の側方外側の塵埃を吸込むことができ、一度の吸口操作で掃除できる範囲が拡大するため、掃除にかける労力や時間を少なくすることが可能になる。
【０１１７】
また、第２回転清掃体３０が吸口ケース１０に対して着脱可能に構成されている（図１２参照）。これによれば、第２回転清掃体３０を吸口ケース１０から取り外して行うことができるので、第２回転清掃体３０の清掃作業が容易になる。また、第２回転清掃体３０の種類、例えば、床面Ｍが絨毯である絨毯用の刷毛体（ブラシ）と、床面Ｍがフローリングであるフローリング用の刷毛体（ブラシ）とを交換できるようにして、使用環境に応じて第２回転清掃体３０の種類を変更することができ、効率的な清掃を行うことが可能になる。
【０１１８】
なお、第１実施形態では、電動機４０の出力軸４０ａが第１回転清掃体２０の回転軸２１よりも後方に位置するようにして電動機４０を第１回転清掃体２０の上部後方に配置する場合を例に挙げて説明したが、電動機４０の前端部４０ｓが第１回転清掃体２０の後端部２０ｓよりも前方に位置する構成であればよく、例えば、第１回転清掃体２０の回転軸２１と、電動機４０の出力軸４０ａとが鉛直方向において重なるように配置する構成、換言すると第１回転清掃体２０の真上に電動機４０が位置する構成であってもよい。また、吸口本体１１の前後幅を損なわない範囲であれば、電動機４０の出力軸４０ａが第１回転清掃体２０の回転軸２１よりも前方に位置する構成であってもよい。
【０１１９】
また、第１実施形態では、電動機４０の下端部４０ｔ（図６参照）が、第１回転清掃体２０の上端部２０ｔ（図６参照）よりも鉛直方向下方に位置する場合を例に挙げて説明したが、電動機４０の下端部４０ｔが、第１回転清掃体２０の上端部２０ｔよりも鉛直方向上方に位置する構成であってもよい。
【０１２０】
上記構成によれば、吸口ケースの側方からの吸込性を向上させた電気掃除機１の吸込具６およびこの吸込具６を用いた電気掃除機１を提供できる。
【０１２１】
（第２実施形態）
図１５は、本発明の第２実施形態に係る電気掃除機１の吸込具６Ａを示す側面図である。第２実施形態に係る電気掃除機１の吸込具６Ａは、動圧制御弁５１に替えて動圧制御弁５１Ａとした構成である。なお、第２実施形態において、第１実施形態と同様の構成については同一の符号を付して重複した説明を省略する。
【０１２２】
図１５に示すように、動圧制御弁５１Ａは、一端が床面Ｍと接触する。
【０１２３】
第２実施形態によれば、動圧制御弁５１Ａの一端が床面Ｍと接触し、動圧制御弁５１Ａと床面Ｍの間に隙間がないため、吸込具６Ａを前進させた時に吸込具６Ａ後方から吸込流路Ｓ１への空気の流入が防止でき、また、吸込具６Ａを後進させた時に吸込具６Ａ前方から吸込流路Ｓ２への空気の流入が防止できる。これにより、吸込流路Ｓ１及びＳ２内の動圧の高い領域をより側方外側へ広げることができるため、吸込具６Ａの外側の離れた位置の塵挨を吸込流路Ｓ１及び吸込流路Ｓ２から吸込室Ｑ２（図６参照）内に取り込むことができる。
【０１２４】
また、吸込具６Ａの操作中、動圧制御弁５１Ａが床面Ｍと接触し塵埃に直接触れることで、塵埃を吸込具６Ａ内にかきこむことができる。
【０１２５】
なお、動圧制御弁５１Ａを吸込流路Ｓ内に設置することで、動圧制御弁５１により吸込具６Ａ内へかきこんだ塵埃を吸込流路Ｓに効率よく導くことができ、吸込室Ｑ２内に取り込み易くなる。
【０１２６】
これにより、吸込具６Ａの側方外側の塵埃を吸込むことができ、一度の吸口操作で掃除できる範囲が拡大するため、掃除にかける労力や時間を少なくすることができる。
【０１２７】
（第３実施形態）
図１６は、本発明の第３実施形態に係る電気掃除機１の吸込具６Ｂを示す側面図である。第３実施形態に係る電気掃除機１の吸込具６Ｂは、動圧制御弁５１に替えて動圧制御弁５１Ｂとした構成である。なお、第３実施形態において、第１実施形態と同様の構成については同一の符号を付して重複した説明を省略する。
【０１２８】
図１６に示すように、動圧制御弁５１Ｂは前記吸込具６Ｂの操作により前後に可動する。
【０１２９】
第３実施形態によれば、吸込具６Ｂを前進させた時に、床面Ｍとの摩擦により動圧制御弁５１Ｂが後方に傾倒し、軸受押え部材３１に設けた溝３１ｄの後面に接触することで吸込流路Ｓ１の後方の隙間を塞ぎやすく、吸込具６Ｂ後方から吸込流路Ｓ１への空気の流入を防止することができるため、動圧の高い領域をより側方外側へ広げることができる。
【０１３０】
また、吸込具６Ｂを後進させた時に、床面Ｍとの摩擦により動圧制御弁５１Ｂが前方に傾倒し、軸受押え部材３１に設けた３１ｄの前面に接触することで吸込流路Ｓ２の前方の隙間を塞ぎやすく、吸込具６Ｂ前方から吸込流路Ｓ２への空気の流入を防止することができるため、動圧の高い領域をより側方外側へ広げることができる。
【０１３１】
また、動圧制御弁６Ｂの可動により床面Ｍと軸受押え部材３１から構成される吸込流路Ｓ１及びＳ２の面積を大きくとることができるため、動圧の高い領域を吸込具６Ｂより外側へ広げることができる。
【０１３２】
これにより、吸込具６Ｂの側方外側の塵埃を吸込むことができ、一度の吸口操作で掃除できる範囲が拡大するため、掃除にかける労力や時間を少なくすることができる。
【０１３３】
（第４実施形態）
図１７は、本発明の第４実施形態に係る電気掃除機１の吸込具６Ｃを示す背面図である。第４実施形態に係る電気掃除機１の吸込具６Ｃは、動圧制御弁５１に替えて動圧制御弁５１Ｃとした構成である。なお、第４実施形態において、第１実施形態と同様の構成については同一の符号を付して重複した説明を省略する。
【０１３４】
図１７に示すように、動圧制御弁５１Ｃは、少なくとも一端に突部５２を有する。
【０１３５】
第４実施形態によれば、吸込具６Ｃを前進させた時に突部５２と床面Ｍとの摩擦により、動圧制御弁５１Ｃが後方に傾倒し、軸受押え部材３１に設けた溝３１ｄの後面に接触することで吸込流路Ｓ１の後方の隙間を塞ぎやすく、吸込具６Ｃ後方から吸込流路Ｓ１への空気の流入を防止することができるため、動圧の高い領域より側方外側へ広げることができる。
【０１３６】
また、吸込具６Ｃを後進させた時に動圧制御弁５１Ｃが床面Ｍとの摩擦により前方に傾倒し、軸受押え部材３１に設けた３１ｄの前面に接触することで吸込流路Ｓ２の前方の隙間を塞ぎやすく、吸込具６Ｂ前方から吸込流路Ｓ２への空気の流入を防止することができるため、動圧の高い領域をより側方外側へ広げることができる。
【０１３７】
また、動圧制御弁５１Ｃの可動により床面Ｍと軸受押え部材３１から構成される吸込流路Ｓ１及びＳ２の面積を大きくとることができるため、動圧の高い領域をより外側へ広げることができる。
【０１３８】
これにより、吸込具６Ｃの側方外側の塵埃を吸込むことができ、一度の吸口操作で掃除できる範囲が拡大するため、掃除にかける労力や時間を少なくすることができる。
【０１３９】
また、突部５２を床面Ｍと接触することで、動圧制御弁５１Ｃの一端の全体を接触させるよりも床面Ｍからの抵抗力を小さくすることができる。これより吸込具の操作力を小さくすることができる。
【０１４０】
また、突部５２と床面Ｍとのラップ代を大きくすることで、床面Ｍからの抵抗力の増加を最小限に抑えつつ動圧制御弁５１Ｃの前後の可動が可能となる。また、動圧制御弁５１Ｃの摩耗や埃の付着に影響されることも少なくなる。
【０１４１】
なお、本実施形態を略半円弧状の突部５２を１か所に設けた場合を例に挙げて図１７に示したが、動圧制御弁５１Ｃ上に床面Ｍに接触するように間隔を置いて２つ以上設ける構成であってもよい。また、突部５２の形状は略半円弧状に限定されるものではなく、床面から摩擦を受けられるものであれば、例えば略長方形状であってもよい。
【０１４２】
（第５実施形態）
図１８は、本発明の第５実施形態に係る電気掃除機１の吸込具６Ｄを示す背面図である。第５実施形態に係る電気掃除機１の吸込具６Ｄは、動圧制御弁５１に替えて動圧制御弁５１Ｄとした構成である。なお、第５実施形態において、第１実施形態と同様の構成については同一の符号を付して重複した説明を省略する。
【０１４３】
図１８に示すように、動圧制御弁５１Ｄは、吸込具６Ｄの幅方向よりも突出している構造をとる。
【０１４４】
第５実施形態によれば、動圧制御弁５１Ｄが突出しており、吸込具６Ｄの吸口幅よりも側方外側まで動圧の高い領域を広げることが容易になるため、吸込具６Ｄの外側のより離れた位置の塵埃まで吸い込むことが可能となる。
【０１４５】
また、動圧制御弁５１Ｄが、動圧制御弁５１Ｄが突出している範囲の塵埃を直接触れることで吸込具６Ｄ内にかきこむことができる。
【０１４６】
これにより、本実施形態では、吸込具６Ｄの側方外側のより離れた位置の塵埃を吸込むことができ、一度の吸口操作で掃除できる範囲が拡大するため、掃除にかける労力や時間を少なくすることができる。
【０１４７】
また、動圧制御弁５１Ｄは、吸口本体１１の幅が過大となり掃除時の取り回しが悪化しない範囲において幅を適宜設定することができる。
【０１４８】
なお、動圧制御弁５１Ｄは前記吸込具６Ｄの操作により前後に可動してもよいし、しなくてもよい。
【０１４９】
（第６実施形態）
図１９は、本発明の第６実施形態に係る電気掃除機１の吸込具６Ｅを示す側面図である。第６実施形態に係る電気掃除機１の吸込具６Ｅは、動圧制御弁５１に替えて動圧制御弁５１Ｅとした構成である。なお、第６実施形態において、第１実施形態と同様の構成については同一の符号を付して重複した説明を省略する。
【０１５０】
図１９に示すように、動圧制御弁５１Ｅは、軸受押え部材３１に設けた溝３１ｄの前面に沿うように設けられている。
【０１５１】
図１９に示すように、動圧制御弁５１Ｅは前記吸込具６Ｅの操作により前後に可動する。
【０１５２】
第６実施形態によれば、動圧制御弁５１Ｅが軸受押え部材３１に設けた溝３１ｄの前面に沿うように設けられているため、吸込具６Ｅを後進させた時、吸込流路Ｓ２の前方の隙間を塞ぎやすく、吸込具６Ｅ前方からの吸込流路Ｓ１への空気の流入を防ぐことが容易となる。これにより、吸込流路Ｓ２内の動圧の高い領域をより側方外側へ広げやすくなるので、側方の離れた位置の塵埃を吸込むことが可能となる。
【０１５３】
また、吸込具６Ｅを後進させたとき、吸込流路Ｓ２の面積が大きくとれ、吸込具６Ｅの側方端部での風量が増加する。これにより動圧の高い領域をより側方外側へ広げることが可能となり、側方のより離れた位置の塵埃を吸込みやすくなる。
【０１５４】
これにより、本実施形態では、吸込具６Ｅを後進させたとき、吸込具６Ｅの側方外側のより離れた位置の塵埃を吸込むことができ、一度の吸口操作で掃除できる範囲が拡大するため、掃除にかける労力や時間を少なくすることができる。
【０１５５】
（第７実施形態）
図２０は、本発明の第７実施形態に係る電気掃除機１の吸込具６Ｆを示す側面図である。第７実施形態に係る電気掃除機１の吸込具６Ｆは、動圧制御弁５１に替えて動圧制御弁５１Ｆとした構成である。なお、第７実施形態において、第１実施形態と同様の構成については同一の符号を付して重複した説明を省略する。
【０１５６】
図２０に示すように、動圧制御弁５１Ｆは、軸受押え部材３１に設けた溝３１ｄの後面に沿うように設けられている。
【０１５７】
図２０に示すように、動圧制御弁５１Ｆは前記吸込具６Ｆの操作により前後に可動する。
【０１５８】
第７実施形態によれば、動圧制御弁５１Ｆが軸受押え部材３１に設けた溝３１ｄの後面に沿うように設けられているため、吸込具６Ｆを前進させた時、吸込流路Ｓ１の後方の隙間を塞ぎやすく、吸込具６Ｆ後方からの吸込流路Ｓ１への空気の流入を防ぐことが容易となる。これにより、動圧の高い領域をより側方外側へ広げやすくなるので、側方の離れた位置の塵埃を吸込むことが可能となる。
【０１５９】
また、吸込具６Ｆを前進させたとき、吸込流路Ｓ１の面積が大きくとれ、吸込具６Ｆの側方端部での風量が増加する。これにより動圧の高い領域をより側方外側へ広げることが可能となり、側方のより離れた位置の塵埃を吸込みやすくなる。
【０１６０】
これにより、本実施形態では、吸込具６Ｆを前進させたとき、吸込具６Ｆの側方外側のより離れた位置の塵埃を吸込むことができ、一度の吸口操作で掃除できる範囲が拡大するため、掃除にかける労力や時間を少なくすることができる。
【０１６１】
（第８実施形態）
図２１は、本発明の第８実施形態に係る電気掃除機１の吸込具６Ｇを示す側面図である。第８実施形態に係る電気掃除機１の吸込具６Ｇは、動圧制御弁５１に替えて動圧制御弁５１Ｇとした構成である。なお、第８実施形態において、第１実施形態と同様の構成については同一の符号を付して重複した説明を省略する。
【０１６２】
図２１に示すように、動圧制御弁５１Ｇは、軸受押え部材３１に設けた溝３１ｄの前後方向中央部に設けられ、溝３１ｄの後面に沿うように屈曲した形状で構成されている。
【０１６３】
図２１に示すように、動圧制御弁５１Ｇは前記吸込具６Ｇの操作により前後に可動する。
【０１６４】
第８実施形態によれば、動圧制御弁５１Ｇが軸受押え部材３１の溝３１ｄの後面に沿うように屈曲しているため、吸込具６Ｇを前進させたとき、吸込流路Ｓ１の後方の隙間を塞ぎやすく、吸込具６Ｇ後方から吸込流路Ｓ１への空気の流入を防ぐことが容易となる。
【０１６５】
また、吸込流路Ｓ１の面積が大きくとれ、吸込具６Ｇの側方端部での風量が増加する。これにより動圧の高い領域をより側方外側へ広げることが可能となり、側方のより離れた位置の塵埃を吸込みやすくなる。
【０１６６】
また、動圧制御弁５１Ｇが吸込流路Ｓの前後方向中央に設けられており、動圧制御弁５１Ｇと軸受押え部材３１に設けた溝３１ｄの前面の距離が短い。そのため、吸込具６Ｇを後進させ動圧制御弁５１Ｇが前方へ傾倒したとき、動圧制御弁５１Ｇが溝３１ｄの前面と接触することで吸込流路Ｓ２の前方の隙間を塞ぎやすく、吸込具６Ｇ前方から吸込流路Ｓ２への空気の流入を防ぐことが容易となる。
【０１６７】
これにより、本実施形態では、吸込具６Ｇを前進及び後進させたときに、吸込具６Ｇの側方外側のより離れた位置の塵埃を吸込むことができ、一度の吸口操作で掃除できる範囲が拡大するため、掃除にかける労力や時間を少なくすることができる。
【０１６８】
（第９実施形態）
図２２は、本発明の第９実施形態に係る電気掃除機１の吸込具６Ｈを示す側面図である。第８実施形態に係る電気掃除機１の吸込具６Ｈは、動圧制御弁５１に替えて動圧制御弁５１Ｈとした構成である。なお、第９実施形態において、第１実施形態と同様の構成については同一の符号を付して重複した説明を省略する。
【０１６９】
図２２に示すように、動圧制御弁５１Ｈは、軸受押え部材３１に設けた溝３１ｄの前後方向中央部に設けられ、溝３１ｄの後面に沿うように屈曲した形状で構成されている。
【０１７０】
図２２に示すように、動圧制御弁５１Ｇは前記吸込具６Ｇの操作により前後に可動する。
【０１７１】
第９実施形態によれば、動圧制御弁５１Ｈが軸受押え部材３１の溝３１ｄの後面に沿うように屈曲しているため、吸込具６Ｈを前進させたとき、吸込流路Ｓ１の後方の隙間を塞ぎやすく、吸込具６Ｈ後方から吸込流路Ｓ１への空気の流入を防ぐことが容易となる。
【０１７２】
また、吸込流路Ｓ１の面積が大きくとれ、吸込具６Ｈの側方端部での風量が増加する。これにより動圧の高い領域をより側方外側へ広げることが可能となり、側方のより離れた位置の塵埃を吸込みやすくなる。
【０１７３】
また、動圧制御弁５１Ｈが吸込流路Ｓの前後方向中央に設けられており、動圧制御弁５１Ｈと軸受押え部材３１に設けた溝３１ｄの前面の距離が短い。そのため、吸込具６Ｈを後進させ動圧制御弁５１Ｈが前方へ傾倒したとき、動圧制御弁５１Ｈが溝３１ｄの前面と接触することで吸込流路Ｓ２の前方の隙間を塞ぎやすく、吸込具６Ｈ前方から吸込流路Ｓ２への空気の流入を防ぐことが容易となる。
【０１７４】
これにより、本実施形態では、吸込具６Ｈを前進及び後進させたときに、吸込具６Ｈの側方外側のより離れた位置の塵埃を吸込むことができ、一度の吸口操作で掃除できる範囲が拡大するため、掃除にかける労力や時間を少なくすることができる。
【０１７５】
（第１０実施形態）
図２３は、本発明の第１０実施形態に係る電気掃除機１の吸込具６Ｉを示す側面図である。第１０実施形態に係る電気掃除機１の吸込具６Ｉは、動圧制御弁５１に替えて動圧制御弁５１Ｉとした構成である。なお、第１０実施形態において、第１実施形態と同様の構成については同一の符号を付して重複した説明を省略する。
【０１７６】
図２３に示すように、動圧制御弁５１Ｉは、ゴムやエラストマー等の弾性材料で形成されている。
【０１７７】
第１０実施形態によれば、動圧制御弁５１Ｉが弾性体などの軟質材料で形成されているため、動圧制御弁５１Ｉと床面Ｍの接触による床面Ｍの傷つきを防止することができる。
【０１７８】
また、動圧制御弁５１Ｉが弾性変形するため、軸受押え部材３１、３２に挿入が容易である。
【０１７９】
（第１１実施形態）
図２４は、本発明の第１１実施形態に係る電気掃除機１の吸込具６Ｊを示す側面図である。第１０実施形態に係る電気掃除機１の吸込具６Ｊは、動圧制御弁５１に替えて動圧制御弁５１Ｊとした構成である。なお、第１１実施形態において、第１実施形態と同様の構成については同一の符号を付して重複した説明を省略する。
【０１８０】
図２４に示すように、動圧制御弁５１Ｊは、前記吸込室より側方外側に設けられていることを特徴とする。
【０１８１】
第１１実施形態によれば、前記吸込室Ｑ２より側方外側に設けられていることにより，前記吸込室Ｑ２と同幅に設置されている第一回転清掃体２０により集塵することのできない吸込具６端部及び側方外側での集塵性能を向上させることができる。
【０１８２】
なお、動圧制御弁５１Ｊは前記吸込具６Ｊの操作により前後に可動してもよいし、しなくてもよい。
【０１８３】
（第１２実施形態）
図２５は、本発明の第１２実施形態に係る軸受押え部材３２のロック機構の平面図である。
（ａ）はロック状態、（ｂ）はロック解除状態である。なお、図２５（ａ）では、説明の便宜上、軸受押え部材３２を取り外した状態を示している。
【０１８４】
図２５（ａ）に示すように、吸口本体１１は、第１回転清掃体２０の回転軸２１の端部（他端）を回転自在に支持する軸受部４１ｍと、第２回転清掃体３０の軸部３０ａの端部（他端）を回転自在に支持する軸受部４１ｎとを有している。
【０１８５】
軸受押え部材３２は、吸口本体１１の下ケース１１Ａ（図６参照）に着脱（開閉）可能であり、係止部材３３を介して吸口本体１１の他端側の下面に取り付けられる。
【０１８６】
係止部材３３は、円筒形状の支持部３３ａを有し、この支持部３３ａを上ケース１１Ｂと下ケース１１Ａから突出した支持突起（不図示）によって上下から支持されている。また、係止部材３３には、支持部３３ａの回転動作によって軸受ユニット部４１ｕの側面４１ｕ１に形成されたスリット状の孔（不図示）から進退可能に動作する係止部３３ｂと、係止部３３ｂを側面４１ｕ１から進退動作させるレバー３３ｃと、が形成されている。
【０１８７】
図２５（ａ）に示すロック状態では、係止部３３ｂの一部が側面４１ｕ１に形成されたスリット状の孔（不図示）から突出するとともに、軸受押え部材３２に形成されたスリット状の孔（不図示）に突出した係止部３３ｂ入り込むことで、軸受押え部材３２が吸口本体１１に固定される。
【０１８８】
そして、図２５（ａ）に示すロック状態からレバー３３ｃを図示時計回り方向に回動させることで、支持部３３ａが時計回り方向に回動し、図２５（ｂ）に示すように、係止部３３ｂが、軸受押え部材３２に形成されたスリット状の孔（不図示）から抜け出ることで、軸受押え部材３２を吸口本体１１から取り外すことができる。
【０１８９】
このように、軸受押え部材３２を吸口本体１１から着脱自在に設けることで、軸受押え部材３２に設けた動圧制御弁５１が破損した場合に、吸口本体１１を交換する必要がなく、軸受押え部材３２を交換するだけで部品交換を行うことができる。
【０１９０】
ところで、第１回転清掃体２０のブラシ２０ａ，２０ｂ，２０ｃには、糸くずなどの繊維状のものや、髪の毛等が絡み付き易く、一旦絡み付くとこの種の塵埃は回転により徐々に蓄積され、ブラシ２０ａ，２０ｂ，２０ｃを固定する筒状基体に締め付けられるようになる。そこで、第１回転清掃体２０のブラシ２０ａ，２０ｂ，２０ｃに絡んだ糸くずなどの繊維状のものや、髪の毛等を取り除くために、第１回転清掃体２０を吸口本体１１から取り外して掃除する必要がある。
【０１９１】
そこで、延長管５から取り外した吸込具６を上向きとした状態において、前記のようにしてレバー３３ｃを操作して、軸受押え部材３２を吸口本体１１から取り外す。そして、第１回転清掃体２０の軸受部４１ｍ側のブラシ２０ａ，２０ｂ，２０ｃを指でつかみ、上方に引き上げた後、第１回転清掃体２０を他端側の斜め上方に引き上げることにより、第１回転清掃体２０の一端（軸受部４１ｍとは反対側）が吸口本体１１から離脱する。
【０１９２】
なお、第２回転清掃体３０についても、軸受部４１ｎ側の刷毛体３０ｂをつかみ、上方に引き上げた後、第２回転清掃体３０を他端側の斜め上方に引き上げることにより、第２回転清掃体３０の一端（軸受部４１ｎとは反対側）を吸口本体１１から離脱させることができる。
【０１９３】
掃除後は、上記と逆の手順で、第１回転清掃体２０の一端と第２回転清掃体３０の一端とを吸口本体１１に組み込んだ後、第１回転清掃体２０の他端を軸受部４１ｍ、第２回転清掃体３０の他端を軸受部４１ｎ、にそれぞれ上方から押し込む。そして、軸受押え部材３２を吸口本体１１の所定の位置に位置決めした後、レバー３３ｃを前記とは逆方向に操作することで、軸受押え部材３２が係止部３３ｂによって係止される。
【０１９４】
このように、片側の軸受押え部材３２を取り外すだけで、第１回転清掃体２０と第２回転清掃体３０の双方を吸口本体１１から取り外すことができ、第１回転清掃体２０と第２回転清掃体３０の清掃時の作業性を向上できる。また、第２回転清掃体３０を１本もののブラシによって構成することで、第２回転清掃体３０を容易に交換することができる。例えば、第２回転清掃体３０として、絨毯用のものと、フローリング用のものとを用意しておき、利用者の好み（使用環境）に応じて交換することが容易になる。また、利用者が吸口本体１１の後ろ側から塵埃を吸い込む機能が不要であると考える場合もあるので、そのような場合にも対応できるように、第２回転清掃体３０を刷毛（はけ）形状のものに交換できるようにしてもよい。
【０１９５】
本発明は、前記した実施形態に限定されるものではなく、本発明の趣旨を逸脱しない範囲において適宜変更することができる。例えば、吸込具６の前方及び後方から吸込流路Ｓへ空気の流入を防止できるのであれば、動圧制御弁５１を刷毛で構成してもよい。
【０１９６】
また、図７では動圧制御弁５１は略Ｌ字形状で示しているが、これに限定されることなく、吸込具６の前方及び後方から吸込流路Ｓへ空気の流入を防止できるのであれば、例えば略Ｔ字形状や略長方形状で構成してもよい。
【０１９７】
第１〜１２実施形態に記載の構成によれば、吸口ケースの側方からの吸込性を向上させた電気掃除機の吸込具およびこの吸込具を用いた電気掃除機を提供できる。
【符号の説明】
【０１９８】
１      電気掃除機
２      掃除機本体
２ａ    電動送風機
２ｂ    集塵部
６，６Ａ，６Ｂ  吸込具
１０    吸口ケース
１１ｃ  隔壁
１１ｄ，１１ｅ  湾曲部
２０    第１回転清掃体
２０ｓ  後端部
２１    回転軸
３０，３０Ａ，３０Ｂ  第２回転清掃体
３０ａ  軸部（軸）
４０    電動機
４０ａ  出力軸
４１ｓ  前端部
５０    回路基板（制御基板）
５１、５２  動圧制御弁
Ｍ      床面（清掃面）
Ｑ２    吸込室
Ｑ１    収容室
【図１】
2015204933.tif 000003
【図２】
2015204933.tif 000004
【図３】
2015204933.tif 000005
【図４】
2015204933.tif 000006
【図５】
2015204933.tif 000007
【図６】
2015204933.tif 000008
【図７】
2015204933.tif 000009
【図８】
2015204933.tif 000010
【図９】
2015204933.tif 000011
【図１０】
2015204933.tif 000012
【図１１】
2015204933.tif 000013
【図１２】
2015204933.tif 000014
【図１３】
2015204933.tif 000015
【図１４】
2015204933.tif 000016
【図１５】
2015204933.tif 000017
【図１６】
2015204933.tif 000018
【図１７】
2015204933.tif 000019
【図１８】
2015204933.tif 000020
【図１９】
2015204933.tif 000021
【図２０】
2015204933.tif 000022
【図２１】
2015204933.tif 000023
【図２２】
2015204933.tif 000024
【図２３】
2015204933.tif 000025
【図２４】
2015204933.tif 000026
【図２５】
2015204933.tif 000027
【手続補正書】
【提出日】平成27年3月12日(2015.3.12)
【手続補正１】
【補正対象書類名】明細書
【補正対象項目名】０００７
【補正方法】変更
【補正の内容】
【０００７】
電気掃除機の吸込具において、前記吸込具は、清掃面と平行な回転軸を有し、電動機により回転可能な第１回転清掃体と、吸込具の後進によって回動する第２回転清掃体と、前記第１回転清掃体及び前記第２回転清掃体の間に位置する吸込流路と、前記吸込流路に連通する前記吸込流路の側方に、前後に可動に係止された動圧制御弁と、を備えたことを特徴とする。
【手続補正２】
【補正対象書類名】明細書
【補正対象項目名】０１２５
【補正方法】変更
【補正の内容】
【０１２５】
なお、動圧制御弁５１Ａを吸込流路Ｓ内に設置することで、動圧制御弁５１Ａにより吸込具６Ａ内へかきこんだ塵埃を吸込流路Ｓに効率よく導くことができ、吸込室Ｑ２内に取り込み易くなる。
【手続補正３】
【補正対象書類名】明細書
【補正対象項目名】０１３０
【補正方法】変更
【補正の内容】
【０１３０】
また、吸込具６Ｂを後進させた時に、床面Ｍとの摩擦により動圧制御弁５１Ｂが前方に傾倒し、軸受押え部材３１に設けた溝３１ｄの前面に接触することで吸込流路Ｓ２の前方の隙間を塞ぎやすく、吸込具６Ｂ前方から吸込流路Ｓ２への空気の流入を防止することができるため、動圧の高い領域をより側方外側へ広げることができる。
【手続補正４】
【補正対象書類名】明細書
【補正対象項目名】０１３１
【補正方法】変更
【補正の内容】
【０１３１】
また、動圧制御弁５１Ｂの可動により床面Ｍと軸受押え部材３１から構成される吸込流路Ｓ１及びＳ２の面積を大きくとることができるため、動圧の高い領域を吸込具６Ｂより外側へ広げることができる。
【手続補正５】
【補正対象書類名】明細書
【補正対象項目名】０１９７
【補正方法】変更
【補正の内容】
【０１９７】
第１〜１２実施形態に記載の構成によれば、吸口ケースの側方からの吸込性を向上させた電気掃除機の吸込具およびこの吸込具を用いた電気掃除機を提供できる。
本発明は、以下の技術的思想を包含する。
電気掃除機の吸込具において、前記吸込具は、清掃面と平行な回転軸を有する第１回転清掃体と、前記第１回転清掃体の上方に配置され、前記回転軸と平行な出力軸を有し、前記第１回転清掃体を回転駆動する電動機と、前記電動機を制御する制御基板と、前記第１回転清掃体が配置される吸込室と、前記吸込室の上方に配置されて前記電動機および前記制御基板を収容する収容室とに区画する隔壁を有する吸口ケースと、前記吸口ケースの両端部下面に配置されて前記第１回転清掃体を着脱自在に保持する軸受押え部材とを備え、前記軸受押え部材に吸込具の長手方向に略平行に設けた溝と前記清掃面により吸込具側方から中央部へ空気の流れる吸込流路を構成し、前記吸込流路に略平行に、少なくとも１つの動圧制御弁を備えたことを特徴とする。
【手続補正６】
【補正対象書類名】特許請求の範囲
【補正対象項目名】全文
【補正方法】変更
【補正の内容】
【特許請求の範囲】
【請求項１】
清掃面と平行な回転軸を有し、電動機により回転可能な第１回転清掃体と、吸込具の後進によって回動する第２回転清掃体と、前記第１回転清掃体及び前記第２回転清掃体の間に位置する吸込流路と、前記吸込流路に連通する前記吸込流路の側方に、前後に可動に係止された動圧制御弁と、を備えたことを特徴とする電気掃除機の吸込具。
【請求項２】
前記動圧制御弁は、一端が前記清掃面と接触することを特徴とする請求項１に記載の電気掃除機の吸込具。
【請求項３】
前記動圧制御弁は、少なくとも一端に突起を有することを特徴とする請求項１または請求項２に記載の電気掃除機の吸込具。
【請求項４】
前記動圧制御弁は、吸込具の幅方向よりも突出していることを特徴とする請求項１乃至３の何れか１項に記載の電気掃除機の吸込具。
【請求項５】
清掃面と平行な回転軸を有し、電動機により回転可能な第１回転清掃体と、吸込具の後進によって回動する第２回転清掃体と、前記第１回転清掃体及び前記第２回転清掃体の間に位置する吸込流路と、前記吸込流路に連通する前記吸込流路の側方に、前後に可動に係止された動圧制御弁と、
前記動圧制御弁は、ゴムやエラストマーなどの弾性材料で形成されていることを特徴とする電気掃除機の吸込具。
【手続補正書】
【提出日】平成27年6月19日(2015.6.19)
【手続補正１】
【補正対象書類名】明細書
【補正対象項目名】０００７
【補正方法】変更
【補正の内容】
【０００７】
電気掃除機の吸込具において、前記吸込具は、清掃面と平行な回転軸を有し、電動機により回転可能な第１回転清掃体と、吸込具の後進によって回動し、前記第１回転清掃体の後方に位置する第２回転清掃体と、前記第１回転清掃体及び前記第２回転清掃体の間に位置する吸込流路と、前記吸込流路に連通する前記吸込流路の側方に、前後に可動に係止された動圧制御弁と、を備えたことを特徴とする。
【手続補正２】
【補正対象書類名】特許請求の範囲
【補正対象項目名】全文
【補正方法】変更
【補正の内容】
【特許請求の範囲】
【請求項１】
清掃面と平行な回転軸を有し、電動機により回転可能な第１回転清掃体と、吸込具の後進によって回動し、前記第１回転清掃体の後方に位置する第２回転清掃体と、前記第１回転清掃体及び前記第２回転清掃体の間に位置する吸込流路と、前記吸込流路に連通する前記吸込流路の側方に、前後に可動に係止された動圧制御弁と、を備えたことを特徴とする電気掃除機の吸込具。
【請求項２】
前記動圧制御弁は、一端が前記清掃面と接触することを特徴とする請求項１に記載の電気掃除機の吸込具。
【請求項３】
前記動圧制御弁は、少なくとも一端に突起を有することを特徴とする請求項１または請求項２に記載の電気掃除機の吸込具。
【請求項４】
前記動圧制御弁は、吸込具の幅方向よりも突出していることを特徴とする請求項１乃至３の何れか１項に記載の電気掃除機の吸込具。
【請求項５】
清掃面と平行な回転軸を有し、電動機により回転可能な第１回転清掃体と、吸込具の後進によって回動し、前記第１回転清掃体の後方に位置する第２回転清掃体と、前記第１回転清掃体及び前記第２回転清掃体の間に位置する吸込流路と、前記吸込流路に連通する前記吸込流路の側方に、前後に可動に係止された動圧制御弁と、
前記動圧制御弁は、ゴムやエラストマーなどの弾性材料で形成されていることを特徴とする電気掃除機の吸込具。